(57)【要約】【課題】指先が不自由な人でも容易に鍵を鍵穴に通すことができる鍵穴案内装置及び鍵穴案内装置付き錠装置を得る。【解決手段】カップ部２と導入部３とを備えて成り、カップ部２は、開口４と、導入部３に連絡し、鍵４０を挿入可能な大きさを有する案内口５と、鍵４０の先端を開口４側から案内口５に案内し、案内口５に向けて横断面が縮径していくテーパ面６とを備え、導入部３は、カップ部２における案内口５に連結され、案内口５に挿入された鍵４０を案内する導入路７と、案内口５と反対側に形成され、導入路７が鍵穴３５の位置と整合する状態で導入部３を鍵穴３５の形成される錠３２に取付可能な錠接続部８とを有している。【選択図】  図１
2004263506.tif 000002
【特許請求の範囲】
【請求項１】
カップ部と導入部とを備えて成り、
前記カップ部は、開口と、前記導入部に連絡し、鍵を挿入可能な大きさを有する案内口と、鍵の先端を前記開口側から前記案内口に案内し、前記案内口に向けて横断面が縮径していくテーパ面とを備え、
前記導入部は、前記カップ部における案内口に連結され、前記案内口に挿入された鍵を案内する導入路と、前記案内口と反対側に形成され、前記導入路が前記鍵穴の位置と整合する状態で前記導入部を前記鍵穴の形成される錠に取付可能な錠接続部とを有することを特徴とする鍵穴案内装置。
【請求項２】
前記カップ部の前記テーパ面は、放物面に形成されていることを特徴とする請求項１に記載の鍵穴案内装置。
【請求項３】
前記カップ部の前記テーパ面は、円錐面に形成されていることを特徴とする請求項１に記載の鍵穴案内装置。
【請求項４】
前記カップ部の前記テーパ面は、角錐面に形成されていることを特徴とする請求項１に記載の鍵穴案内装置。
【請求項５】
前記カップ部の少なくとも前記開口には、発光塗料が塗布されていることを特徴とする請求項１乃至４のいずれか一項に記載の鍵穴案内装置。
【請求項６】
スペーサリングを更に備えていることを特徴とする請求項１乃至５のいずれか一項に記載の鍵穴案内装置。
【請求項７】
鍵が挿入される鍵穴を有する錠と、鍵を該錠の鍵穴に案内する鍵穴案内装置とを備え、
前記鍵穴案内装置は、カップ部と導入部とを備えて成り、
前記カップ部は、開口と、前記導入部に連絡し、鍵を挿入可能な大きさを有する案内口と、鍵の先端を前記開口側から前記案内口に案内し、前記案内口に向けて横断面が縮径していくテーパ面とを備え、
前記導入部は、前記カップ部における案内口に連結され、前記案内口に挿入された鍵を前記鍵穴へ案内する導入路とを有することを特徴とする鍵穴案内装置付き錠装置。
【請求項８】
前記カップ部の前記テーパ面は、放物面に形成されていることを特徴とする請求項７に記載の鍵穴案内装置付き錠装置。
【請求項９】
前記カップ部の前記テーパ面は、円錐面に形成されていることを特徴とする請求項７に記載の鍵穴案内装置付き錠装置。
【請求項１０】
前記カップ部の前記テーパ面は、角錐面に形成されていることを特徴とする請求項７に記載の鍵穴案内装置付き錠装置。
【請求項１１】
前記カップ部の少なくとも前記開口には、発光塗料が塗布されていることを特徴とする請求項７乃至１０のいずれか一項に記載の鍵穴案内装置付き錠装置。
【請求項１２】
スペーサリングを更に備えていることを特徴とする請求項７乃至１１のいずれか一項に記載の鍵穴案内装置付き錠装置。
【発明の詳細な説明】
【０００１】
【発明の属する技術分野】
本発明は、鍵を鍵穴に容易に案内するための鍵穴案内装置に関するものである。
【０００２】
【従来の技術】
扉等の錠に設けられた鍵穴に鍵を通すことは、暗い場所では非常に不便である。そこで、従来においては、暗い場所でも簡単に鍵を鍵穴に通すことができるように、鍵を収納する収納ホルダーにライトを取り付けているものが知られている。（例えば、特許文献１参照。）。
【０００３】
【特許文献１】
登録実用新案第３０５０６２１号公報（第１−２頁、第１図）
【０００４】
【発明が解決しようとする課題】
しかしながら、上記公報に開示されているライト付鍵収納ホルダーは、電池をホルダー内に設けなければならないため、ホルダーが重くなってしまうと共に、ケース自体が大型化してしまい、使用者にとってホルダーを持ち歩くのに非常に不便である。
【０００５】
また、上記ライト付鍵収納ホルダーは、ライトで鍵穴を照らすことによって、暗い場所でも鍵を鍵穴に簡単に通すことが可能なものであるが、指先が不自由な老人や身体障害者等にとっては、このようなライト付ホルダーは、明るい場所や暗い場所に関係なく、便利なものであるとは云えない。
【０００６】
本発明は、上述のような従来技術の問題点に鑑みてなされたものであり、暗所でも明かりを必要とせずに鍵穴に容易に鍵を通すことができ、あるいは指先が不自由な人でも鍵穴に容易に鍵を通すことができる鍵穴案内装置及び鍵穴案内装置付き錠装置を提供することを目的とする。
【０００７】
【課題を解決するための手段】
本発明は、カップ部と導入部とを備えて成り、前記カップ部は、開口と、前記導入部に連絡し、鍵を挿入可能な大きさを有する案内口と、鍵の先端を前記開口側から前記案内口に案内し、前記案内口に向けて横断面が縮径していくテーパ面とを備え、前記導入部は、前記カップ部における案内口に連結され、前記案内口に挿入された鍵を案内する導入路と、前記案内口と反対側に形成され、前記導入路が前記鍵穴の位置と整合する状態で前記導入部を前記鍵穴の形成される錠に取付可能な錠接続部とを有することを特徴とする鍵穴案内装置を提供する。
【０００８】
また、カップ部の前記テーパ面は、放物面に形成することもできるし、円錐面あるいは角錐面に形成することもできる。また、前記カップ部の少なくとも前記開口には、発光塗料を塗布することができる。さらに、鍵穴案内装置は、スペーサリングを更に備えることもできる。
【０００９】
本発明は、また、鍵が挿入される鍵穴を有する錠と、鍵を該錠の鍵穴に案内する鍵穴案内装置とを備え、前記鍵穴案内装置は、カップ部と導入部とを備えて成り、前記カップ部は、開口と、前記導入部に連絡し、鍵を挿入可能な大きさを有する案内口と、鍵の先端を前記開口側から前記案内口に案内し、前記案内口に向けて横断面が縮径していくテーパ面とを備え、前記導入部は、前記カップ部における案内口に連結され、前記案内口に挿入された鍵を前記鍵穴へ案内する導入路とを有することを特徴とする鍵穴案内装置付き錠装置を提供する。
【００１０】
また鍵穴案内装置付き錠装置においても、カップ部の前記テーパ面を放物面に形成することもできるし、円錐面あるいは角錐面に形成することもできる。また、前記カップ部の少なくとも前記開口には、発光塗料を塗布することができる。さらに、鍵穴案内装置付き錠装置は、スペーサリングを更に備えることもできる。
【００１１】
【発明の実施の形態】
以下、本発明にかかる鍵穴案内装置及び鍵穴案内装置付き錠装置の実施の形態について図面を参照しながら述べる。図１は、玄関等に設置された開閉扉３０に本発明の鍵穴案内装置１を適用した様子を示している。開閉扉３０の外面（室外側の表面）３１には、錠３２とドアノブ３３が設けられている。錠３２は、開閉扉３０の外面３１から突出した錠シリンダ３４と、この錠シリンダ３４の中央部に設けられる回転可能な回転部４２とを備えている。回転部４２の先端面の略中央には鍵が挿入される鍵穴３５が形成されている。錠３２は、回転部４２と機械的あるいは電気的に連結されて開閉扉３０の側面３６に対して垂直方向に進退移動可能なデッドボルト３７を備えている。
【００１２】
周知の通り、回転部４２の鍵穴３５に図示しない鍵を挿入し、この鍵と共に回転部４２を回転させると、この回転部４２の回転に連動してデッドボルト３７が進退移動する。この動作によって、錠３２の施錠あるいは解錠が行われる。また、図示していないが、錠３２の錠シリンダ３４は開閉扉３０の内面（室内側の表面）からも突出しており、この突出部分には、回転部４２と連結された摘み部が一体に取り付けられており、使用者がこの摘み部を摘んで回転部４２を回転させてデッドボルト３７を進退移動させることにより、室内側においても、錠３２の施錠および解錠を行うことができる。
【００１３】
なお、ドアノブ３３は、回転軸を有する取っ手部３８と、回転軸の回転に連動して開閉扉３０の側面３６に対して垂直方向に進退移動可能なラッチボルト３９とを備えており、使用者が取っ手部３８を手で握って回転軸を回転させることにより、ラッチボルト３９が進退移動するようになっている。
【００１４】
本発明にかかる鍵穴案内装置１は、上記錠３２の回転部４２に設けられており、回転部４２に形成された鍵穴３５に向けて鍵の先端を案内し、暗闇の中でも、あるいは指先が不自由な人でも容易に鍵を鍵穴３５に通すことができるものである。以下、鍵穴案内装置について具体的に説明する。
【００１５】
図２には鍵穴案内装置１の側面図を示し、図３には背面図、図４には正面図、図５には図４において線Ａ−Ａで切った断面図をそれぞれ示している。また、図６には、図５に示す断面図において鍵４０が挿入された状態を示している。図示のように、鍵穴案内装置１は、全体が大きく分けてカップ部２と導入部３とから構成されている。
【００１６】
カップ部２は、円形の開口４と案内口５とテーパ面６とを備えている。開口４は鍵４０の先端を受け入れるのに十分広い面積を有しており、これにより使用者は鍵４０の先端を該開口４のいずれの位置にアクセスしても鍵４０の先端がテーパ面６に当接するようになっている。案内口５は、開口４と反対側に設けられて導入部３に連絡されており、鍵４０のキー溝が形成されたロッド部４１を挿入することができる大きさに形成されている。すなわち、案内口５の断面形状はロッド部４１の断面形状と略同じ形状に形成されている。テーパ面６は、使用者によって開口４から挿入された鍵４０の先端がテーパ面６に当接した後、鍵の先端を押し込んで行くだけで自然に案内口５に向けて案内される形状を有し、図５などによく示されているように、開口４から案内口５に向けた軸線に直交する横断面が案内口５に近づくに従って縮径していくように形成されている。このようなテーパ面６の一例としては、図５及び図６に示すような放物面に形成することもできるし、図７に示されているような円錐面に形成することもできるし、あるいは特に図示はしないが任意の横断面が矩形となるような角錐面に形成することができる。
【００１７】
一方、導入部３は、導入路７と錠接続部８とを備えている。導入路７は、カップ部２における案内口５に連結されており、案内口５に挿入された鍵４０のロッド部４１を鍵穴３５に案内するためのものである。この導入路７の断面形状は、案内口５の断面形状と略同じ形状に形成されており、従って、鍵４０のロッド部４１の断面形状と略同じ形状に形成されている。錠接続部８は、案内口５と反対側に形成されている。この錠接続部８は、導入路７が鍵穴３５（図１参照）の位置と整合する状態で、導入部７を、鍵穴３５の形成される錠３２の回転部４２の先端面に取付可能とするものである。本例の錠接続部８は、接着剤等を用いて回転部４２に取り付け可能であり、この取付によって、鍵穴案内装置１が錠３２に取り付けられた状態を維持できる。
【００１８】
本発明の鍵穴案内装置１は以上のような構成を備えるものであり、以下その作用について説明する。使用者は、開口４から鍵４０をカップ部２内に挿入する。そして、鍵４０の先端をテーパ面６に沿って案内させながらカップ部２の案内口５側に鍵４０を挿入していく。テーパ面５は、案内口５に向けて横断面が縮径していくテーパ面に形成されているため、使用者が鍵４０の先端をテーパ面６に沿って案内させながら鍵４０を挿入していくことにより、テーパ面６によって鍵４０の先端が案内口５に必然的に案内される。このようにして鍵４０の先端が案内口５に案内された後、鍵４０を更に押し込むことにより鍵４０のロッド部４１は案内口５から導入路７内に挿入される。導入路７は鍵穴３５の位置と整合しているため、鍵４０のロッド部４１を案内口５から導入路７内に押し進めることにより、鍵４０のロッド部４１を鍵穴３５に通すことができる。なお、鍵４０のロッド部４１を鍵穴３５に通した状態でこの鍵４０と共に回転部４２を回転させると、錠接続部８が回転部４２に取り付けられているため、鍵穴案内装置１はこの回転に伴って回転する。
【００１９】
上記実施の形態によれば、使用者が、単に、鍵４０の先端をカップ部２のテーパ面６に沿わせながら鍵４０を案内口５側に挿入していくことにより、鍵４０の先端を鍵穴３５に必然的に導いて、鍵４０のロッド部４１を鍵穴３５に容易に通すことができる。従って、鍵の先端を狭い鍵穴に差し込むことが困難なほど暗い場所でも簡単に鍵を鍵穴に差し込むことができる。また指先が不自由な人でも容易に鍵を鍵穴に差し込むことができる。また、錠接続部８は、錠シリンダ３４あるいは錠シリンダ３４の中央部に設けられた回転部４２のいずれにも取り付け可能である。錠接続部８を錠シリンダ３４に取り付ける場合には、導入路７は図３に示すような鍵が丁度入るような矩形ではなく、鍵が導入路７内で回転できるような例えば円形や扇形とする必要がある。錠接続部８を回転部４２に取り付けた場合には、鍵穴案内装置１は回転部４２の回転に伴って回転するが、錠接続部８を錠シリンダ３４に取り付けた場合には、鍵４０のロッド部４１を鍵穴３５に通した状態でこの鍵４０と共に回転部４２を回転させても、鍵穴案内装置１は回転しない。
【００２０】
鍵穴案内装置１の材質としては、樹脂を用いることができるが、樹脂に限らず、上記作用を奏することができる材質であれば、どのようなものであってもよい。また、錠シリンダ３４の回転部４２が強磁性体である場合には、錠接続部８の少なくとも一部、例えば、錠接続部８の取付面に磁石を設け、この磁石の吸引力で錠接続部８を回転部４２に取り付けることも可能である。あるいは、回転部４２に磁石を固着し、錠接続部８の取付面に強磁性体を設けて、該磁石の吸引力で錠接続部８を回転部４２に取り付けてもよい。更に鍵穴案内装置１を回転部４２に対してネジ等の締結具や接着剤で固定することもできる。また錠接続部８を錠シリンダ３４に固定する場合にも、上記磁石、締結具及び接着剤による方法を適用することができる。
【００２１】
また、カップ部２の少なくとも開口４に発光塗料等を塗布したり、あるいは、カップ部２の開口４近傍などにライトを取り付けることにより、暗い環境においても使用者が鍵を開口４からカップ部２内に容易に挿入することができる。これにより、鍵を鍵穴にさらに容易に通すことができるようになる。また、鍵４０の先端を摺動させるカップ部２のテーパ面６上に保護シートを張り付けることにより、テーパ面６が鍵４０の先端の接触や衝突によって傷つくことを防止することができる。
【００２２】
また、上記鍵穴案内装置１は、図８に示すようにスペーサリングを更に備えることができる。本例では、錠接続部８が回転部４２ではなく、その周囲の錠シリンダ３４に取り付けられたものを示している。またカップ部２の開口４の外周に環状リング２０が接着剤等の適宜の手段によって取り付けられている。環状リング２０には、錠シリンダ３４側に伸びた複数の脚部２１が取り付けられており、この複数の脚部２１の先端は、スペーサリング２２によって連結されていて、このスペーサリング２２は、開閉扉３０の外面３１上であって、開閉扉３０の外面３１から突出した錠シリンダ３４の周囲に適宜の手段によって取り付けられる。スペーサリング２２は、いわゆる「カム送り解錠」や「サムターン解錠」等の犯罪による解錠を防止するために設けられるものである。このように、鍵穴案内装置１にスペーサリング２２を更に設けることにより、鍵穴案内装置１によって、使用者が容易に鍵を鍵穴に通すことができるだけでなく、上記犯罪を防止することも可能となる。本例の場合、錠接続部８が回転部４２ではなく錠シリンダ３４に取り付けられているため、鍵４０のロッド部４１を鍵穴３５に通した状態でこの鍵４０と共に回転部４２を回転させても、鍵穴案内装置１は回転しない。
【００２３】
また、上記実施の形態による鍵穴案内装置１を備えた鍵穴案内装置付き錠装置とすることも可能である。すなわち、図１に示すように、先端面に鍵穴３５が形成された回転部４２とデッドボルト３７とを少なくとも有し、開閉扉３０の外面（室外側の表面）３１に設けられる錠装置３２に、鍵穴案内装置１が予め取り付けられている構成とすることができる。この場合、鍵穴案内装置１は回転部４２又は錠シリンダ３４に対して固定された状態とすることもできるし、着脱可能とすることもできる。また図１に示すようにドアノブ３３と錠装置３２とが別々に形成されているタイプとは異なり、ドアノブ３３自体の中央に回転部４２を備え、該回転部４２の略中央に鍵穴３５が形成されているタイプの錠装置においては、図９に示すように、ドアノブ３３に上述したようなカップ部２及び導入部３に相当する部分を一体的に形成して、本発明の鍵穴案内装置１を備えた鍵穴案内装置付き錠装置とすることもできる。この場合、ドアノブ３３にカップ部２及び導入部３に相当する部分が一体的に形成されているため、鍵４０は、鍵４０の先端をテーパ面６に沿わせながら進行させることで、直接鍵穴３５に挿入される。
【００２４】
尚、本発明の鍵穴案内装置１は、図１、図９に示すタイプのディスクシリンダ錠、インテグラル錠に適用できるほか、従来公知の種々の錠（例えばトライデント社、ＡＴＲＹＺ社製造の丸型ディンプルキーなど）にも適用することができる。
【００２５】
【発明の効果】
本発明によれば、暗い場所でも簡単に鍵を鍵穴に通すことができ、また指先が不自由な人でも容易に鍵を鍵穴に通すことができる。
【図面の簡単な説明】
【図１】鍵穴案内装置が適用可能な錠の一例を示す斜視図である。
【図２】本発明にかかる鍵穴案内装置の実施の形態を示す側面図である。
【図３】上記鍵穴案内装置を示す背面図である。
【図４】上記鍵穴案内装置を示す正面図である。
【図５】図４における上記鍵穴案内装置を線Ａ−Ａで切った断面図である。
【図６】図５に示す上記鍵穴案内装置の断面図において鍵４０が挿入された状態を示す断面図である。
【図７】別の実施の形態を示す断面図である。
【図８】さらに別の実施の形態を示す側面図である。
【図９】ドアノブにカップ部及び導入部に相当する部分を一体的に形成した実施形態を示す斜視図である。
【符号の説明】
１    鍵穴案内装置
２    カップ部
３    導入部
４    開口
５    案内口
６    テーパ面
７    導入路
８    錠接続部
２０    環状リング
２１    脚部
２２    スペーサリング
３０    開閉扉
３１    外面
３２    錠
３３    ドアノブ
３４    錠シリンダ
３５    鍵穴
３６    側面
３７    デッドボルト
３８    取っ手部
３９    ラッチボルト
４０    鍵
４１    ロッド部
４２    回転部
【図１】
2004263506.tif 000003
【図２】
2004263506.tif 000004
【図３】
2004263506.tif 000005
【図４】
2004263506.tif 000006
【図５】
2004263506.tif 000007
【図６】
2004263506.tif 000008
【図７】
2004263506.tif 000009
【図８】
2004263506.tif 000010
【図９】
2004263506.tif 000011